(57)【特許請求の範囲】
【請求項１】
魚釣りに用いる釣竿であって、
竿体と、
前記竿体の穂先側端部に配置され、穂先側端部が丸みを帯びて形成された補助部材と、
前記補助部材を内包するように前記竿体の穂先側端部外周面に配置された、屈曲自在な筒状の釣糸係止部とを備え、
前記竿体は、筒状部材であり、
前記補助部材は、前記竿体の穂先側外径と同一または穂先側外径より大きな外径を有する球状の本体部と、前記本体部に連続して形成され前記竿体の穂先側に挿入され固定可能な挿入部とを有している、釣竿。
【発明の詳細な説明】
【０００１】
【発明の属する技術分野】
本発明は魚釣りに用いる釣竿、特に、竿体の穂先側端部に釣糸を係止可能な釣糸係止部を有する釣竿に関する。
【０００２】
【従来の技術】
従来の釣竿には、複数の竿体を振出形式または並継形式で連結し一本の釣竿としたものがある。この複数の竿体において最も穂先側に位置する竿体（以下、穂先竿という）の穂先側端部には、釣糸を係止可能な釣糸係止部が設けられている。この従来の釣糸係止部は、ナイロン繊維等の合成繊維で形成された細いパイプ状の屈曲自在な部材であって、釣糸係止部の一端側が穂先竿の穂先側端部を覆うように配置され、接着剤等で穂先側端部に固定されている。
【０００３】
釣りをおこなう際には、この釣糸係止部の先端側に釣糸を結びつける。釣糸の先に配置された仕掛けに魚がかかって釣糸が大きく回転等すると、この釣糸係止部は釣糸の回転や移動とともに回転等して、釣糸が糸絡みするのを防止している。
【０００４】
【発明が解決しようとする課題】
従来の釣糸係止具は、釣糸係止部の一端側が穂先竿の穂先側端部を覆うように配置されている。このため、釣糸係止具が回転すると、穂先竿の穂先側端面のエッジがパイプ状の釣糸係止具の内周面と接触する。長期にわたって釣竿を使用していると、この穂先竿と釣糸係止具との接触によって釣糸係止具が傷ついてしまい、最終的には釣糸係止具を破損してしまう恐れもある。
【０００５】
本発明の課題は、長期の使用にも耐えうる釣糸係止具を備えた耐久性の高い釣竿を提供することにある。
【００１０】
【課題を解決するための手段】
発明１にかかる釣竿は、魚釣りに用いる釣竿であって、竿体と、竿体の穂先側端部に配置され穂先側端部が丸みを帯びて形成された補助部材と、補助部材を内包するように竿体の穂先側端部外周面に配置された屈曲自在な筒状の釣糸係止部とを備えている。
竿体は筒状部材で形成されるる。そして補助部材は、竿体の穂先側外径と同一または穂先側外径より大きな外径を有する球状の本体部と、本体部に連続して形成され竿体の穂先側に挿入され固定可能な挿入部とを有している。
【００１１】
この場合には、釣糸係止部に釣糸を係止して釣りをおこない、釣糸とともに釣糸係止部が大きく振れたり回転した際においても、釣糸係止部が竿体の穂先側端部に直接接触することがない。穂先側が丸みを帯びて形成された補助部材が回転等によって生じる釣糸係止部の損傷を防ぐ。
また、この場合には、釣糸係止部に釣糸を係止して釣りをおこない、釣糸とともに釣糸係止部が大きく振れたり回転した際においても、釣糸係止部が竿体の穂先側端部に直接接触することがない。球状の本体部が、釣糸係止部と竿体の穂先側端部との接触を防ぎ釣糸係止部の損傷を抑える。さらに、釣糸係止部の回転がスムーズになる。
【００１２】
【発明の実施の形態】
［第１実施形態］
以下、本発明の第１実施形態について図面を参照しつつ説明する。
【００１３】
本実施の第１実施形態を採用した釣竿は、元竿１と、元竿１の穂先側に順次連結される複数の中竿群２と、中竿群２の穂先側に連結される穂先竿３とを有している。この元竿１〜穂先竿３は穂先側ほど小径になるようにテーパが形成された筒状の部材である。それぞれ炭素繊維やガラス繊維，チラノ繊維等の強化繊維に合成樹脂を含浸させたプリプレグから形成されている。穂先側の穂先竿３から順次竿元側の竿体内に挿入され収納可能になっており、いわゆる振出形式で連結されている。
【００１４】
元竿１は、もっとも竿元側に配置される竿体であって、竿元側端部にはＥＶＡやポリウレタン等の合成樹脂からなる蓋付き円筒型部材である竿元グリップ４が接着され固定されている。
【００１５】
穂先竿３は、穂先側端部に配置された補助部材１０と、補助部材１０及び穂先竿３の穂先側端部を内包するように穂先竿３の穂先側端部外周面に配置されたパイプ状の釣糸係止部２０とを有している。
【００１６】
補助部材１０は、図２に示すように、穂先側端部が丸みを帯びて形成されている本体部１１と、本体部１１に連続して形成され穂先竿３の穂先側に挿入され固定可能な挿入部１２とを有している。補助部材１０は、ＡＢＳ樹脂等の合成樹脂やアルミニウム，鉄またはこれらの合金等からなる部材であって、本体部１１と挿入部１２とは一体的に形成される。本体部１１は穂先竿３の穂先側部分とほぼ同様の外径で形成された円柱状であり、穂先側端面が丸みを帯びている。また、挿入部１２は本体部１１に比べてやや小径に形成され穂先竿３の穂先側内径に合致するような外径で形成されている。挿入部１２は穂先側端面から内部に挿入され接着剤等で固定される。
【００１７】
釣糸係止部２０は、図２に示すように、ナイロン繊維等の合成繊維で形成された細いパイプ状部材であり屈曲自在である。穂先側端部に補助部材１０が取り付けられた穂先竿３の穂先側端部が一端側からパイプ状の内部の一部に挿入された状態で、釣糸係止部２０は穂先竿３の穂先側外周面に接着剤等によって固定されている。また、穂先側には結び目が形成されており、釣糸係止部２０に釣糸Ｌを係止した際に釣糸Ｌが穂先側から抜けでないようになっている。
【００１８】
このように構成された釣竿では、釣糸係止部２０に釣糸Ｌを係止して釣りをおこなう。釣糸Ｌの先端に設けた仕掛けに魚がかかり、釣糸Ｌとともに釣糸係止部２０が大きく振れたり回転しても、補助部材１０の穂先側端部が丸みを帯びて形成されている本体部１１が、釣糸係止部２０と穂先竿３の穂先側端面との接触を防ぐ。この結果、長期にわたって釣竿を使用しても釣糸係止部２０が破損してしまうことはない。また、釣糸係止部２０の回転がスムーズになり、糸絡みが十分に防止できる。
［第２実施形態］
以下、本発明の第２実施形態について図面を参照しつつ説明する。
【００１９】
本実施の第２実施形態を採用した釣竿は、第１実施形態と同様に、元竿１と、元竿１の穂先側に順次連結される複数の中竿群２と、中竿群２の穂先側に連結される穂先竿１３とを有している。この元竿１及び中竿群２は穂先側ほど小径になるようにテーパが形成された筒状の部材である。それぞれ炭素繊維やガラス繊維，チラノ繊維等の強化繊維に合成樹脂を含浸させたプリプレグから形成されている。穂先側の穂先竿３から順次竿元側の竿体内に挿入され収納可能になっており、いわゆる振出形式で連結されている。
【００２０】
穂先竿１３は、元竿１と同様の所定のプリプレグ等から形成される中実の先細り部材である。穂先側端部には窪み部１３ａが形成されており、後述の補助部材３０が挿入され固定可能になっている。また、補助部材３０及び穂先竿１３の穂先側端部を内包するように穂先竿１３の穂先側端部外周面にはパイプ状の釣糸係止部２０が配置されている。
【００２１】
補助部材３０は、図３に示すように、球状の本体部３１と、本体部３１に連続して形成され穂先竿１３の穂先側に形成された窪み部１３ａに挿入され固定可能な挿入部３２とを有している。補助部材３０は、ＡＢＳ樹脂等の合成樹脂やアルミニウム，鉄またはこれらの合金等からなる部材であって、本体部３１と挿入部３２とは一体的に形成される。本体部３１は穂先竿１３の穂先側部分とほぼ同様の外径で形成された球体である。また、挿入部３２は本体部３１に比べてやや小径に形成され穂先竿１３の窪み部１３ａの内径に合致するような外径で形成されている。挿入部３２は窪み部１３ａに挿入され接着剤等で固定されている。なお、その他の構成は第１実施形態と同様であり説明を省略する。このように構成された釣竿では、釣糸係止部２０に釣糸Ｌを係止して釣りをおこなう。釣糸Ｌの先端に設けた仕掛けに魚がかかり、釣糸Ｌとともに釣糸係止部２０が大きく振れたり回転しても、補助部材３０の球状の本体部３１が、釣糸係止部２０と穂先竿１３の穂先側端面との接触を防ぐ。この結果、長期にわたって釣竿を使用しても釣糸係止部２０が破損してしまうことはない。また、釣糸係止部２０の回転がスムーズになり、糸絡みが十分に防止できる。
［他の実施形態］
（ａ）上記実施形態においては振出形式の釣竿を示しているが、並継形式の釣竿でも本発明は適応可能である。
（ｂ）補助部材の本体部の外径は、穂先竿の穂先付近の外径より大きく形成されていてもよい。
【００２２】
【発明の効果】
本発明によれば、長期の使用によっても釣糸係止具が損傷することのない耐久性に優れる釣竿を得ることができる。
【図面の簡単な説明】
【図１】本発明の第１実施形態を採用した釣竿の全体図。
【図２】本発明の第１実施形態を採用した釣竿の穂先付近の拡大断面図。
【図３】本発明の第２実施形態を採用した釣竿の穂先付近の拡大断面図。
【符号の説明】
１  元竿
２  中竿群
３  穂先竿
１０，３０  補助部材
１１，３１  本体部
１２，３２  挿入部
【図１】
0004104750.tif 000002
【図２】
0004104750.tif 000003
【図３】
0004104750.tif 000004